(57)【要約】【課題】データーのダウンロード中でも、待ち時間を有効に使用することが可能なメディアプレーヤーの提供を目的とする。【解決手段】データーを再生するメディアプレーヤーにおいて、所定のメディアに記憶されたデーターを再生して出力するメディア制御部と、前記メディアに記憶されたデーターに対応した付加データーをネットワークを通じてダウンロードするデーター取得手段と、前記ダウンロードが完了した際、同ダウンロードが完了したことを通知する通知手段と、を有する。【選択図】図２
2011108049.tif 000002
【特許請求の範囲】
【請求項１】
データーを再生するメディアプレーヤーにおいて、
所定のメディアに記憶されたデーターを再生して出力するメディア制御部と、
前記メディアに記憶されたデーターに対応した付加データーをネットワークを通じてダウンロードするデーター取得手段と、
前記ダウンロードが完了した際、同ダウンロードが完了したことを通知する通知手段と、を有することを特徴とするメディアプレーヤー。
【請求項２】
入力されたデーターを用いて映像を出力する映像出力手段と、
前記映像出力手段に前記データーを入力する入力元を切り替える切り替え手段と、を有し、
前記通知手段は、現在選択された入力元から出力されるデーターに通知画面を表示させることを特徴とする請求項１に記載のメディアプレーヤー。
【請求項３】
前記通知手段は、前記通知画面を表示させる際、現在選択された入力元がメディア制御部と異なる場合は、入力元をメディア制御部に切り替えた後、前記通知画面を表示させることを特徴とする請求項２に記載のメディアプレーヤー。
【請求項４】
当該メディアプレーヤーは、前記メディア制御部を備える録画再生装置と、前記映像出力手段を備える表示装置とを備えて構成され、
前記録画再生装置と前記表示装置とは、ＨＤＭＩケーブルを介して接続され、
前記通知手段は、ＨＤＭＩケーブルを介して出力される制御コマンドにより、前記表示装置に通知画面を表示させることを特徴とする請求項２又は請求項３のいずれか一項に記載のメディアプレーヤー。
【請求項５】
前記メディア制御部は、ブルーレイディスクを再生可能であることを特徴とする請求項１〜請求項４のいずれか一項に記載のメディアプレーヤー。
【請求項６】
当該メディアプレーヤーは、前記メディア制御部を備える録画再生装置と、映像を出力する表示装置とを備えて構成され、
前記表示装置は、
入力されたデーターを用いて映像を出力する映像出力手段と、
前記映像出力手段に前記データーを入力する入力元を切り替える切り替え手段と、を有し、
前記録画再生装置と前記表示装置とは、ＨＤＭＩケーブルを介して接続され、
前記メディア制御部は、ブルーレイディスクを再生可能であって、
前記通知手段は、
前記ＨＤＭＩケーブルを介して出力される制御コマンドにより、前記表示装置に通知画面を表示させ、
前記通知画面を表示させる際、現在選択された入力元がメディア制御部と異なる場合は、入力元をメディア制御部に切り替えた後、前記通知画面を表示させることを特徴とする請求項１に記載のメディアプレーヤー。
【発明の詳細な説明】
【技術分野】
【０００１】
本発明は、メディアプレーヤーに関し、特にネットワークを通じてデーターをダウンロードするメディアプレーヤーに関する。
【背景技術】
【０００２】
従来、所定のメディアを再生するメディアプレーヤーが知られている。このようなメディアプレーヤーは、メディアに記憶されたデーターを読み取ることで再生を行う。また、近年では、メディアの記憶容量の増加に伴い、再生可能なデーターのコンテンツが拡張しており、メディアプレーヤーに対して様々な用途が模索されている（例えば、特許文献１及び２参照）。
【０００３】
上記したメディアプレーヤーの中には、ネットワークを介してデーターをダウンロード可能なものも知られている。このようなメディアプレーヤーは、ネットワークを通じてダウンロードサーバーと接続し、このダウンロードサーバーに記憶された所定のデーターをダウンロードする。ダウンロードされたデーターは、メディアプレーヤー内部に備えられたメモリーに記憶され、メディアを再生する際に付加的に利用される。
【先行技術文献】
【特許文献】
【０００４】
【特許文献１】特開２００６−３３１１６２号公報
【特許文献２】特開２００８−１８２５２４号公報
【発明の概要】
【発明が解決しようとする課題】
【０００５】
メディアプレーヤーがネットワークを通じてデーターをダウンロードする場合、そのダウンロードに要する時間が問題となる場合がある。即ち、ダウンロードに要する時間は、ネットワークにおける通信速度及びメディアプレーヤーの処理能力に応じて変化するものの、ダウンロードするデーターの容量が多ければその容量に比例してダウンロードに要する時間は長くなる。そのため、ダウンロード中はダウンロードが何時終了するか判断できないため、時間を有効に使用することができなかった。
【０００６】
本発明は、上記課題にかんがみてなされたもので、データーのダウンロード中でも、待ち時間を有効に使用することが可能なメディアプレーヤーの提供を目的とする。
【課題を解決するための手段】
【０００７】
上記課題を解決するために、本発明では、データーを再生するメディアプレーヤーにおいて、所定のメディアに記憶されたデーターを再生して出力するメディア制御部と、前記メディアに記憶されたデーターに対応した付加データーをネットワークを通じてダウンロードするデーター取得手段と、前記ダウンロードが完了した際、同ダウンロードが完了したことを通知する通知手段と、を有する構成としてある。
【０００８】
上記のように構成された発明では、データー取得部は、メディア制御部が再生可能なメディアに記憶されたデーターに対応したデーターをネットワークを通じてダウンロードし、通知手段は、ダウンロードが完了した際、同ダウンロードが完了したことを通知する。
そのため、ダウンロードが完了したことを通知されることで、ユーザー又はこのメディアプレーヤーに接続される外部機器はダウンロード完了を判断することが可能となり、ダウンロードが開始されてから終了するまでの間、時間を有効に利用することが可能となる。
ここで、通知手段による通知とは、画像等を用いてユーザーに視覚的に通知を行う場合のみでなく、メディアプレーヤーと接続された外部機器に対して、ダウンロードが完了したことを制御コマンド等を用いて通知することを含む概念である。
【０００９】
また、通知手段が通知を行う構成の一例として、入力されたデーターを用いて映像を出力する映像出力手段と、前記映像出力手段に前記データーを入力する入力元を切り替える切り替え手段と、を有し、前記通知手段は、現在選択された入力元から出力されるデーターに通知画面を表示させる構成としてもよい。
上記のように構成された発明では、現在選択された画面上に通知画面を表示させるため、ダウンロード中にユーザーが入力を切り替えている場合でも、ダウンロードの終了を確認することができる。
【００１０】
そして、前記通知手段は、前記通知画面を表示させる際、現在選択された入力元がメディア制御部と異なる場合は、入力元をメディア制御部に切り替えた後、前記通知画面を表示させる構成としてもよい。
上記のように構成された発明では、ダウンロードの終了に合わせて入力元が切り替わるため、入力画像の切り替え操作を行う必要がなく、入力画像の切り替えに要する操作負荷を軽減させることができる。
【００１１】
さらに、メディアプレーヤーの構成としては、様々なものが想定される。そのため、メディアプレーヤーの構成の一例として、当該メディアプレーヤーは、前記メディア制御部を備える録画再生装置と、前記映像出力手段を備える表示装置とを備えて構成され、前記録画再生装置と前記表示装置とは、ＨＤＭＩケーブルを介して接続され、前記通知手段は、ＨＤＭＩケーブルを介して出力される制御コマンドにより、前記表示装置に通知画面を表示させる構成としてもよい。
上記のように構成された発明では、ＨＤＭＩ規格に準ずる制御コマンドにより通知画面を表示させることができるため、録画再生装置と表示装置とで構成されるシステムにおいて、録画再生装置が通知画面を生成する機能を有していなくても本発明を実現することができる。
【００１２】
そして、前記メディア制御部は、ブルーレイディスクを再生可能である構成としてもよい。
上記のように構成された発明では、ブルーレイディスクを再生する装置におけるダウンロード処理に本発明を適用することができる。
【００１３】
さらに、本発明の具体的な構成の一例として、当該メディアプレーヤーは、前記メディア制御部を備える録画再生装置と、映像を出力する表示装置とを備えて構成され、前記表示装置は、入力されたデーターを用いて映像を出力する映像出力手段と、前記映像出力手段に前記データーを入力する入力元を切り替える切り替え手段と、を有し、前記録画再生装置と前記表示装置とは、ＨＤＭＩケーブルを介して接続され、前記メディア制御部は、ブルーレイディスクを再生可能であって、前記通知手段は、前記ＨＤＭＩケーブルを介して出力される制御コマンドにより、前記表示装置に通知画面を表示させ、前記通知画面を表示させる際、現在選択された入力元がメディア制御部と異なる場合は、入力元をメディア制御部に切り替えた後、前記通知画面を表示させる構成としてもよい。
【発明の効果】
【００１４】
以上説明したように本発明によれば、データーのダウンロード中でも、その間発生する待ち時間を有効に使用することできる。
また請求項２にかかる発明によれば、ダウンロード中に入力画像が切換えられた場合でも、ダウンロードの終了を確認することができる。
そして請求項３にかかる発明によれば、入力画像の切り替えに要する操作負荷を軽減させることができる。
さらに請求項４にかかる発明によれば、録画再生装置と表示装置とで構成されるシステムにおいて、録画再生装置が通知画面を生成する機能を有していなくても、本発明を実現することができる。
また請求項５にかかる発明によれば、ブルーレイディスクを再生する装置におけるダウンロード処理に本発明を適用することができる。
【図面の簡単な説明】
【００１５】
【図１】メディアプレーヤーとダウンロードサーバーとの関係を示す図である。
【図２】第１の実施形態にかかるメディアプレーヤーの構成を示すブロック図である。
【図３】特典映像のダウンロード時に録画再生装置８０が実行する処理を説明するフローチャートである。
【図４】特典映像のダウンロード時に表示装置９０が実行する処理を説明するフローチャートである。
【図５】録画再生装置８０のダウンロードが完了した際に、表示装置９０に表示される表示画面を示す図である。
【図６】第２の実施形態にかかる特典映像のダウンロード時に録画再生装置８０が実行する処理を説明するフローチャートである。
【図７】第２の実施形態にかかる特典映像のダウンロード時に表示装置９０が実行する処理を説明するフローチャートである。
【発明を実施するための形態】
【００１６】
以下、下記の順序に従って本発明の実施形態を説明する。
（１）第１の実施形態：
（２）第２の実施形態：
（３）第３の実施形態：
（４）その他の実施形態：
【００１７】
（１）第１の実施形態： 
以下、図を参照して、この発明に係るメディアプレーヤーを具体化した第１の実施形態について説明する。図１は、メディアプレーヤーとダウンロードサーバーとの関係を示す図である。また、図２は、第１の実施形態にかかるメディアプレーヤーの構成を示すブロック図である。なお、第１の実施形態では、メディアプレーヤーは、表示装置と録画再生装置とで構成されるシステムとして説明を行うが、メディアプレーヤーの構成はこれに限定されない。
【００１８】
表示装置９０と録画再生装置８０とは、ＨＤＭＩ（High Definition Multimedia Interface）規格のケーブル７０を介して接続されており、録画再生装置８０と表示装置９０との間でデーターを通信することが可能である。また、録画再生装置８０は、ユーザーがディスクメニューのＢＤーＬｉｖｅを選択することでネットワークＮを通じてダウンロードサーバー６０と接続し、このダウンロードサーバー６０が記憶するデーターをダウンロードすることができる。なお、ＢＤ−Ｌｉｖｅについては後述する。
【００１９】
＝＝＝録画再生装置８０の構成＝＝＝
録画再生装置８０は、以下の要部を備えて構成されている。符号８１は、メディア制御部であり、所定のメディアをもとに録画又は再生を行う。符号８２は、システムコントローラーであり、録画再生装置８０の駆動を制御する。符号８３は、ＥＥＰＲＯＭであり、所定のデーターを記憶する。符号８４は、ＯＳＤ回路であり、メディア制御部８１が出力するデーターにＯＳＤ画像を重畳させて出力する。符号８５は、ＨＤＭＩ通信部であり、ＨＤＭＩ規格に準じてデーターを通信する。符号８６は、ネットワークＩ／Ｆであり、所定のプロトコルに従ってネットワークＮに接続する。符号８７は、リモコン受信部であり、図示しないリモコン装置から送信される制御信号をシステムコントローラー８２に送信する。
【００２０】
メディア制御部８１は、ＢＤ（ブルーレイディスク）やＤＶＤ等のメディアに記憶されたデーターを光ピックアップ部により読取り、ＨＤＭＩ通信部８５を通じて表示装置９０に送信する。また、録画再生装置８０が表示装置９０から出力されるデーターをケーブル７０を通じて受信した場合は、メディア制御部８１は取得したデーターを光ピックアップ部を用いてメディアに記憶させる。
【００２１】
システムコントローラー８２は、図示しないＣＰＵや、ＣＰＵを駆動させるためのプログラムやデーターが記憶されたＲＯＭ、及びＣＰＵのワークエリアとして作用するＲＡＭを備えて構成されている。また、システムコントローラー８２は、ユーザーがリモコン受信部８７を介して送信した制御信号により、録画再生装置８０の駆動を制御する。なお、システムコントローラー８２と、録画再生装置８０を構成する各部はバスを介して接続されており、このバスを介して制御が行われる。
【００２２】
ＥＥＰＲＯＭ８３は、ネットワークＩ／Ｆ８６を介して取得されたデーターを記憶する。ＥＥＰＲＯＭ８３に記憶されるデーターの一例としては、録画再生装置８０の製造元のダウンロードサーバーからダウンロードされた設定データーや、「ＢＤ−Ｌｉｖｅ」が選択された際、メディアに記憶されたデーターの出荷元のダウンロードサーバーからダウンロードされる付加データーである。
【００２３】
ＯＳＤ回路８４は、メディア制御部８１から出力される映像信号にＯＳＤ画像を合成して出力させる。ＯＳＤ回路８４が出力させるＯＳＤ画像としては、録画再生装置８０の各種設定を選択するためのＧＵＩ（Graphical User Interface）であるメニュー画面、及びメディア再生時におけるディスクメニュー等が含まれる。なお、ＯＳＤ回路８４が出力するＯＳＤ画像は予め内部メモリーに記憶されたものであり制御コマンドに応じて出力されるＯＳＤ画像が決定される。
【００２４】
ＨＤＭＩ通信部８５は、表示装置９０に実装されるＨＤＭＩ通信部９１（後述）との間でＨＤＭＩ規格に準じた通信を行うためのインタフェ−スであり、映像・音声データー及び制御コマンドを通信する。また、本実施形態では制御コマンドとして、ＣＥＣ（Consumer Electronics Control）規格に準じた制御コマンドを用いる。この制御コマンドにより、録画再生装置８０からはケーブル７０を通じて表示装置９０の駆動を制御することが可能となる。
【００２５】
ネットワークＩ／Ｆ８６は、ネットワークＮを通じた録画再生装置８０とダウンロードサーバー６０との接続を確立する。本実施形態では、ユーザーがＢＤの再生中に、ディスクメニューからＢＤ−Ｌｉｖｅを選択した場合は、システムコントローラー８２はネットワークＩ／Ｆ８６にこのＢＤに記憶されたアドレスにより指定されたダウンロードサーバー６０からデーターをダウンロードさせる。ここで、ＢＤ−Ｌｉｖｅとは、ＢＤに記憶されたデーターと付加的な役割を示すデーターをダウンロードさせるモードである。このＢＤ−Ｌｉｖｅでは、例えば、ＢＤに記憶された字幕を補間する追加字幕や、ＢＤに記憶されたデーターの製造元から供給される映像（いわゆる特典映像）がダウンロードされる。
【００２６】
＝＝＝表示装置９０の構成＝＝＝
表示装置９０は以下の要部を備えて構成されている。符号９１は、ＨＤＭＩ通信部であり、録画再生装置８０のＨＤＭＩ通信部８５との間でデーターの通信を行なう。符号９２は、制御部であり、表示装置９０の駆動を制御する。符号９３は、フロントエンド部であり、図示しないアンテナが受信した放送電波からリモコン装置により選局されたチャンネルのデジタルデーターを抽出する。符号９４は、バックエンド部であり、取得されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置から出力される赤外線信号を受信し、制御部９２に制御コマンドを出力する。符号９９は、切り替え部であり、フロントエンド部９３又はＨＤＭＩ通信部９１と、バックエンド部９３との接続を切り替える。
【００２７】
制御部９２は、リモコン受信部９８を介して入力される制御コマンド、及びＨＤＭＩ通信部９１を介して録画再生装置８０から送信されたＣＥＣ規格に準じた制御コマンドにより、表示装置９０の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。なお、制御部９２と表示装置９０とを構成する各部はバスを介して接続されており、このバスを介して制御が行われる。
【００２８】
フロントエンド部９３は、各種アンテナが受信した放送電波からリモコン装置により選局されたチャンネルの変調信号を抽出する選局部や、選局された変調信号からデジタルデーターを抽出する伝送路復号部を備えて構成されている。
【００２９】
バックエンド部９４は、取得されたデジタルデーターのスクランブルを解除するデスクランブル部や、スクランブルを解除されたデジタルデーターからＭＰＥＧ形式の映像・音声信号、及びＴＳ信号を取り出すＭＰＥＧ多重分離部、更には、映像・音声信号を復号する映像・音声復号部を備えて構成されている。
【００３０】
切り替え部９９は、バックエンド部９４と、ＨＤＭＩ通信部９１及びフロントエンド部９３との間に介在するよう接続されている。また、切り替え部９９は、制御部９２から出力される入力切替信号に応じてＨＤＭＩ通信部９１又はフロントエンド部９３のいずれかをバックエンド部９４に接続させる。即ち、ユーザーが入力画面を「テレビ」に選択した場合は、切り替え部９９は、フロントエンド部９３とバックエンド部９４とを接続する。また、ユーザーが入力画面を「ビデオ」に選択した場合は、切り替え部９９は、ＨＤＭＩ通信部９１とバックエンド部９４とを接続する。そのため、切り替え部９９は本発明にかかる切り替え手段を実現する。
【００３１】
上記構成により、録画再生装置８０と表示装置９０とは、一体となってメディアに記憶された映像データー及び音声データーを再生する。また、録画再生装置８０は、メディア再生時において、ディスクメニューの「ＢＤ−Ｌｉｖｅ」が選択された場合は、ネットワークＮを通じてダウンロードサーバー６０に接続し、所定のデーターをダウンロードする。
【００３２】
ここで、録画再生装置８０のダウンロード処理では、データーのダウンロードに一定の時間を必要とする。無論、ダウンロードに要する時間は、ネットワークＮの転送速度、及び録画再生装置８０の処理速度に依存する面もあるが、ダウンロードするデーター量が多ければ、その量に比例してダウンロードに要する時間が長くなる。また、ダウロード中は、いつダウンロードが完了するか判断できないため、ユーザーはその間の時間を有効に活用することができない。そのため、本実施形態では、メディアプレーヤーのダウンロードが完了した場合は、ダウンロードの完了を通知することで、ユーザーにダウンロード中の時間を効果的に使用できる構成としてある。以下、本実施形態にかかるメディアプレーヤーにおける特典映像のダウンロードの手法を説明する。
【００３３】
＝＝＝ダウンロードについて＝＝＝
図３は、特典映像のダウンロード時に録画再生装置８０が実行する処理を説明するフローチャートである。また、図４は、特典映像のダウンロード時に表示装置９０が実行する処理を説明するフローチャートである。また、図５は、録画再生装置８０のダウンロードが完了した際に、表示装置９０に表示される表示画面を示す図である。
【００３４】
ユーザーがリモコン装置を操作して録画再生装置８０にＢＤを再生させる制御コマンドを送信すると、図３のステップＳ１では、システムコントローラー８２はメディア制御部８１にＢＤの再生を実行させる。そのため、メディア制御部８１は、ＢＤに記憶されたデーターを読取り、再生を開始する。
【００３５】
次に、ユーザーがリモコン装置を操作してディスクメニューの「ＢＤ−Ｌｉｖｅ」を選択すると（ステップＳ２：ＹＥＳ）、ステップＳ３では、システムコントローラー８２は、ネットワークＩ／Ｆ８６にネットワークＮへの接続を確立させる。そして、システムコントローラー８２は、ネットワークＩ／Ｆ８６に、ＢＤに記憶されたアドレスにより指定されたダウンロードサーバー６０にアクセスさせる。
【００３６】
また、ダウンロードサーバー６０への接続が確立されると、ステップＳ４では、システムコントローラー８２はネットワークＩ／Ｆ８６にダウンロードサーバー６０に記憶されたデーターをダウンロードさせる。そのため、録画再生装置８０のＥＥＰＲＯＭ８３に特典映像に対応したデーターのダウンロードが開始される。
【００３７】
そして、ＥＥＰＲＯＭ８３へのダウンロードが完了すると（ステップＳ５：ＹＥＳ）、ステップＳ６では、システムコントローラー８２はダウンロードが完了したことを示す制御コマンドであるダウンロード完了通知コマンドをＨＤＭＩ通信部８５を通じて表示装置９０に送信する。なお、ステップ５で送信されるダウンロード完了通知コマンドは、ＣＥＣ規格に準ずるＶｅｎｄｏｒＣｏｍｍａｎｄに対応するものである。そのため、システムコントローラー８２はステップＳ４、Ｓ５の処理により、本発明にかかるデーター取得手段を実現し、ステップＳ６の処理により通知手段を実現する。
【００３８】
一方、図４のステップＳ１１において、表示装置９０がＨＤＭＩ通信部９１を介して制御コマンドを受信すると、ステップＳ１２において、制御部９２は受信した制御コマンドがダウンロード完了通知コマンドであるか否かを判断する。
【００３９】
受信した制御コマンドがダウンロード完了通知コマンドである場合は（ステップＳ１２：ＹＥＳ）、ステップＳ１３において、制御部９２はＯＳＤ回路９７に対して現在選択された入力画面により出力される映像データーに図５に示すＯＳＤ画像を合成させるよう指示を出す。即ち、ユーザーがダウンロード中に、入力画面を「ビデオ」から「テレビ」に切換えている場合は、フロントエンド部９３を介してバックエンド部９４に入力される映像データーにＯＳＤ画像を合成して出力させる。そのため、表示装置９０のバックエンド部９４からは、図５に示す文字列「ＢＤ−Ｌｉｖｅ  Ｍｅｎｕに移行しました」が合成された映像データーが出力される。以後、表示装置９０は、ダウンロードされた特典映像が再生され、ＢＤ−Ｌｉｖｅ  Ｍｅｎｕが実行される。
【００４０】
上記構成により、ユーザーがダウンロード最中に、入力画面を切り替えた場合でも、この入力画面に対応して出力される映像データーに対して、ダウンロードの完了を示す画像が合成されて出力される。そのため、ユーザーは、現在視聴する入力画像においてダウンロードが完了したことを認識することができる。
一方、受信した制御コマンドがダウンロード完了コマンドでない場合は（ステップＳ１２：ＮＯ）、ステップＳ１４において、制御部９２は制御コマンドに対応した制御を実行する。
【００４１】
上記した、第１の実施形態にかかるメディアプレーヤー１００では、データーのダウンロード中にユーザーが入力画面の切り替えを行い、所定チャンネルを表示させている場合でも、ダウンロードが終了するとこの選局されたチャンネルにダウンロードの完了を示す画像が表示される。そのため、ユーザーは、ダウンロード最中でも、ダウンロードが完了する時刻等を気にすることなく、他の操作を行うことが可能となる。以上、第１の実施形態を説明した。
【００４２】
（２）第２の実施形態：
第１の実施形態では、ダウンロードが完了した際、現在選択されている入力画面にダウンロードが完了したことを示すＯＳＤ画面を表示して、ユーザーにダウンロードが完了したことを通知した。この場合、上記ＯＳＤ画面を見たユーザーは、録画再生装置８０が再生する映像を出力できるよう入力画面を切り替え、ＢＤに記憶されたデーター及びＥＥＰＲＯＭ８３に記憶されたデーターを再生する。そのため、第２の実施形態にかかるメディアプレーヤーでは、ユーザーが行う入力画面の切り替えまでを自動で実行する構成としてある。そのため、ダウンロードが終了した場合は、入力画面が自動で切り替わることで、ユーザーの操作負荷を低減することが可能となる。
【００４３】
図６は、第２の実施形態にかかる特典映像のダウンロード時に録画再生装置８０が実行する処理を説明するフローチャートである。図７は、第２の実施形態にかかる特典映像のダウンロード時に表示装置９０が実行する処理を説明するフローチャートである。
【００４４】
図６のステップＳ２１からステップＳ２５の処理により、ダウンロードが完了すると、ステップＳ２６では、システムコントローラー８２は、表示装置９０に入力画面を「ビデオ」に切換えさせる切り替えコマンドをＨＤＭＩ通信部８５を介して送信する。そのため、図７のステップＳ３１において、制御部９２は、現在選択された入力画面を「ビデオ１」に切り替える。即ち、制御部９２は切り替え部９９に対して、ＨＤＭＩ通信部９１をバックエンド部９４に接続させるよう切り替えを実行させる。
【００４５】
次に、図６のステップＳ２７において、システムコントローラー８２がダウンロード完了通知コマンドをＨＤＭＩ通信部８５を介して表示装置９０に送信する。そのため、図７のステップＳ３２において、表示装置９０の制御部９２はＨＤＭＩ通信部９１を介して制御コマンドを受信する。
【００４６】
そして、ステップＳ３３において、制御部９２は受信した制御コマンドがダウンロード完了通知コマンドであるか否かを判断する。受信した制御コマンドがダウンロード完了通知コマンドである場合は（ステップＳ３３：ＹＥＳ）、ステップＳ３４において、制御部９２はＯＳＤ回路９７に対して入力画面「ビデオ１」により選択される映像データーに図５に示すＯＳＤ画像を合成させるよう指示を出す。そのため、表示装置９０のバックエンド部９４には表示画面が表示される。上記構成により、ユーザーがダウンロード最中に、入力画面を切り替えた場合でも、録画再生装置８０からの映像データーを受け入れる入力画面に切り替えられた後、この入力画面に出力される映像データーに対して、ダウンロードの完了を示す画像が合成されて出力される。以上第２の実施形態を説明した。
【００４７】
（３）第３の実施形態：
上記した第１の実施形態及び第２の実施形態では、録画再生装置８０から表示装置９０へのダウンロード完了通知は制御コマンドを送信することで実行された。しかしながら、録画再生装置８０のＯＳＤ回路８４がダウンロード完了を通知するためのＯＳＤ画像を生成し、このＯＳＤ画像をダウンロード完了通知コマンドとともに表示装置９０に出力する構成としてもよい。上記構成とすることで、表示装置９０がＯＳＤ画像を生成する機能を有さない場合でも、表示画面を表示させることができる。
【００４８】
（４）その他の実施形態：
本発明な様々な変形例が存在する。
メディアプレーヤー１００を構成する、録画再生装置８０及び表示装置９０とは、ケーブル７０により接続される構成に限定されない。即ち、録画再生装置８０及び表示装置９０とが一体となった構成であってもよい。
【００４９】
また、録画再生装置８０が画像を表示するための表示部を備える場合は、この表示部により表示画面を表示する構成としてもよい。即ち、本発明にかかるメディアプレーヤー１００が録画再生装置８０のみで構成されていてもよい。
【００５０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５１】
６０…ダウンロードサーバー、７０…ケーブル、８０…録画再生装置、８１…メディア制御部、８２…システムコントローラー、８５…ＨＤＭＩ通信部、８６…ネットワークＩ／Ｆ、８７…リモコン受信部、９０…表示装置、９１…ＨＤＭＩ通信部、９２…制御部、９３…フロントエンド部、９４…バックエンド部、９７…ＯＳＤ回路、９８…リモコン受信部、９９…切り替え部、１００…メディアプレーヤー
【図１】
2011108049.tif 000003
【図２】
2011108049.tif 000004
【図３】
2011108049.tif 000005
【図４】
2011108049.tif 000006
【図５】
2011108049.tif 000007
【図６】
2011108049.tif 000008
【図７】
2011108049.tif 000009